(57)【要約】【課題】浴室内で十分に聴くことができる音声出力が得られ、さらに設置作業が容易な浴室暖房乾燥機及びそれに用いる浴室暖房乾燥機用リモコンを提供する。【解決手段】浴室暖房乾燥機１には、音声出力用の２個のスピーカ３が備えられている。浴室暖房乾燥機１は、音声信号を増幅してスピーカ３に出力する増幅器２を備えている。増幅器２は信号線１０を介してスピーカ３に接続されている。さらに増幅器２は、信号線８を介して脱衣所に取り付けられた浴室暖房乾燥機用リモコン７に接続されている。浴室暖房乾燥機用リモコン７は、浴室暖房乾燥機１の暖房及び乾燥動作の制御端末機能と共に、例えば脱衣所の所定位置に置かれた市販の携帯型ＣＤプレーヤ等の音楽再生機器１１を音源とする音声信号を入力する音声入力端子を備えている。【選択図】    図１
2004301438.tif 000002
【特許請求の範囲】
【請求項１】
浴室内の暖房及び前記浴室内に吊るされた衣類の乾燥を行う浴室暖房乾燥機において、
音声信号を増幅する増幅器と、
前記増幅器で増幅された音声信号を音声に変換するスピーカと、
前記増幅器を駆動する電源電圧を生成する電源装置と
を備えていることを特徴とする浴室暖房乾燥機。
【請求項２】
浴室内の暖房及び前記浴室内に吊るされた衣類の乾燥を行う浴室暖房乾燥機の運転制御を行う浴室暖房乾燥機用リモコンにおいて、
音楽再生装置から出力される音声信号を入力する入力端子を備えていること
を特徴とする浴室暖房乾燥機用リモコン。
【発明の詳細な説明】
【０００１】
【発明の属する技術分野】
本発明は、浴室内の暖房及び浴室内に吊るされた衣類の乾燥を行う浴室暖房乾燥機及びそれに用いられる浴室暖房乾燥機用リモコンに関する。
【０００２】
【従来の技術】
浴室暖房乾燥機は、例えば浴室の天井裏に埋め込まれており、浴室内に向けられた温風吹き出し口から温風を吹き出して浴室内を暖房したり乾燥したりするようになっている。さらに、浴室暖房乾燥機は、温風吹き出し口から送風される温風を浴室内に吊るされた衣類に当てて衣類を乾かす衣類乾燥機としても利用されている。
【０００３】
近年、浴室をさらに有効活用するために浴室内で使用可能な家庭電化製品が実用化されてきている。実用化されている家庭電化製品として、例えば持ち運びが可能で防水処理が施されたポータブルスピーカがある。当該ポータブルスピーカは、音声信号を増幅する増幅器と増幅された音声信号を音声に変換するスピーカとを備えている。増幅器は、市販の携帯型コンパクトディスクプレーヤ（携帯型ＣＤプレーヤ）等の音楽再生機器に設けられたヘッドフォンジャック等の音声出力端子から信号線を介して音声信号を入力する音声入力端子を有している。音楽再生機器から出力された音声信号は増幅器で増幅され、スピーカから音声が出力される。音楽再生機器はポータブルスピーカ内部に収納されて防水蓋で密閉されるため、収納された音楽再生機器等を水に濡らすことなく浴室内で音楽を聴くことができる。
【０００４】
【特許文献１】
特開２００２−８４５８８号公報
【０００５】
【発明が解決しようとする課題】
ところが、１００Ｖの交流電圧あるいは乾電池で駆動されるＣＤ付ラジオカセットレコーダの音声出力電力は一般に１〜２Ｗ程度あるのに対し、浴室内で使用可能な上記ポータブルスピーカの音声出力電力は０．５Ｗ程度しかない。このため、シャワー音等による浴室内の暗騒音によりポータブルスピーカからの音声がかき消されてしまう可能性がある。
【０００６】
これに対し、浴室内で十分な音量が得られる浴室音響システムが知られている（特許文献１参照）。当該浴室音響システムは、例えば脱衣所に置かれた市販の音楽再生機器（例えば携帯型ＣＤプレーヤ）を音源として、浴室の壁面や浴槽のバスタブエプロン内に備えられたスピーカから音声が出力される構成を有している。携帯型ＣＤプレーヤの音声出力端子は、例えば脱衣所の壁面に設けられた音声入力端子に信号線を介して接続されている。壁面に設置された音声入力端子は天井裏等に設置された増幅器に信号線を介して接続されている。増幅器は浴室内のスピーカに信号線を介して接続されている。携帯型ＣＤプレーヤから出力される音声信号は増幅器で増幅され、スピーカから十分な音量の音声が出力されるようになっている。
【０００７】
しかしながらこの浴室音響システムは、浴室の壁面に穴を開けてスピーカを埋め込んだり、スピーカと増幅器及び脱衣所壁面の音声入力端子のそれぞれを接続する信号線を天井裏や壁面内に配線したりする極めて煩雑な設置作業が必要になるという問題を有している。
【０００８】
本発明の目的は、浴室内で十分に聴くことができる音声出力が得られ、さらに設置作業が容易な浴室暖房乾燥機及びそれに用いる浴室暖房乾燥機用リモコンを提供することにある。
【０００９】
【課題を解決するための手段】
上記目的は、浴室内の暖房及び前記浴室内に吊るされた衣類の乾燥を行う浴室暖房乾燥機において、音声信号を増幅する増幅器と、前記増幅器で増幅された音声信号を音声に変換するスピーカと、前記増幅器を駆動する電源電圧を生成する電源装置とを備えていることを特徴とする浴室暖房乾燥機によって達成される。
【００１０】
さらに上記目的は、浴室内の暖房及び前記浴室内に吊るされた衣類の乾燥を行う浴室暖房乾燥機の運転制御を行う浴室暖房乾燥機用リモコンにおいて、音楽再生装置から出力される音声信号を入力する入力端子を備えていることを特徴とする浴室暖房乾燥機用リモコンによって達成される。
【００１１】
【発明の実施の形態】
本発明の一実施の形態による浴室暖房乾燥機及び浴室暖房乾燥機用リモコンについて図１を用いて説明する。図１は、本実施の形態による浴室暖房乾燥機１及び浴室暖房乾燥機用リモコン７を設置している浴室９を示す断面図である。浴室暖房乾燥機１は浴室９の例えば天井裏に設置され、温風吹き出し口１９等が浴室９内に露出している。温風吹き出し口１９は天井の例えば浴槽２０に対向する位置に配置されている。
【００１２】
浴室暖房乾燥機１は屋外に設置されている熱源機１３と温水配管１４で接続されている。熱源機１３で温められた温水は温水配管１４内の往き管１５を通って浴室暖房乾燥機１に送られるようになっている。浴室暖房乾燥機１には、往き管１５を通った温水を空気との間で熱交換させる熱交換器１７が備えられている。熱交換で冷却された温水は、温水配管１４内の戻り管１６を通って熱源機１３に戻り、再び熱源機１３で温められて浴室暖房乾燥機１に送られるようになっている。このようにして、温水配管１４内の温水は熱源機１３と浴室暖房乾燥機１との間を循環する。また浴室暖房乾燥機１は、熱交換で温度上昇した空気を浴室９内に送り込む循環ファン１８を有している。なお、浴室９内の水蒸気を含む湿った空気は、浴室暖房乾燥機１に備えられている不図示の換気ファンで吸い込まれ、不図示の排気ダクトを通して屋外に排出されるようになっている。これにより浴室９内の空気を循環させつつ浴室９内を効率よく乾燥することができるようになる。
【００１３】
また、浴室暖房乾燥機１には、音声出力用の例えば２個のスピーカ３が備えられている。スピーカ３は、浴室９内に音声が十分出力されるようにスピーカコーンの向きが調整されて設置されている。さらに、浴室暖房乾燥機１は、音声信号を増幅してスピーカ３に出力する増幅器２を備えている。増幅器２は信号線１０を介してスピーカ３に接続されている。さらに増幅器２は、信号線８を介して浴室９外（例えば、脱衣所）に取り付けられた浴室暖房乾燥機用リモコン７に接続されている。
【００１４】
浴室暖房乾燥機用リモコン７は、浴室暖房乾燥機１の暖房及び乾燥動作の制御端末機能と共に、例えば脱衣所の所定位置に置かれた市販の携帯型ＣＤプレーヤ等の音楽再生機器１１からの音声信号を入力する音声入力端子を備えている。音楽再生機器１１は一般に、音声出力用のヘッドフォンジャック等（不図示）を備えている。信号線１２のケーブル両端には、浴室暖房乾燥機用リモコン７の音声入力端子と音楽再生機器１１のヘッドフォンジャックにそれぞれ着脱可能に挿入される差込プラグが設けられている。音源となる音楽再生機器１１として、携帯型ＣＤプレーヤの他にカセットテープ再生装置や携帯ラジオ等を用いることができる。
【００１５】
浴室暖房乾燥機１は、増幅器２を駆動するための電源装置４を備えている。電源装置４は１００Ｖの交流電圧（ＡＣ１００Ｖ）を送電している電源線５に接続されている。また電源装置４は、ＡＣ１００Ｖを例えば２５Ｖの直流電圧（ＤＣ２５Ｖ）に変換する交流−直流変換器や、ＤＣ２５Ｖから増幅器２の各回路を駆動するための直流電圧を生成する直流−直流変換器（共に不図示）を備えている。
【００１６】
次に、本実施の形態による浴室暖房乾燥機１の動作について説明する。音楽再生機器１１から出力された音声信号は、信号線１２を介して浴室暖房乾燥機用リモコン７に入力され、さらに信号線８を介して増幅器２に出力される。
【００１７】
ここで、増幅器２が電源装置４で生成されたＤＣ２５Ｖを電源としているものとする。増幅器２の最大駆動電圧は増幅器２内の各回路の電圧損失のため電源電圧より低くなる。増幅器２の電圧損失を２Ｖと仮定すると増幅器２の最大駆動電圧は２３Ｖになるので、増幅器２の実効電圧は２３／√２＝１６．３Ｖとなる。スピーカ３のインピーダンスを８Ωと仮定すると、増幅器２の最大出力電力は（１６．３×１６．３）／８＝３３．２Ｗとなる。
【００１８】
一般に、音楽再生機構と増幅器及びスピーカ等が一体となった室内使用の据え置き型システムコンポの最大出力電力が１５Ｗ〜４０Ｗ程度であることを考慮すると、本実施の形態による浴室暖房乾燥機１の増幅器２は据え置き型システムコンポと同等の迫力ある音量を実現できることがわかる。
【００１９】
本実施の形態の浴室暖房乾燥機１は、増幅器２とスピーカ３及び電源装置４を内蔵して且つ従来の浴室暖房乾燥機とほぼ同一の大きさを有しているので、従来の浴室暖房乾燥機を容易に代替設置することが可能である。さらに、従来のように浴室９内の壁面にスピーカ３設置用の穴を設けるような工事も不要になる。また、浴室暖房乾燥機用リモコン７に音声入力端子が備えられているため、従来の浴室暖房乾燥機用リモコンに代えて本実施形態の浴室暖房乾燥機用リモコン７を設置するだけで音声信号の入力端子を備えることができる。従って、脱衣所の壁面等に音声信号入力端子用の穴を設ける工事も不要である。
【００２０】
また、電源装置４は、電源線５に送電されているＡＣ１００Ｖを基に増幅器２を駆動する電圧を生成する。従って、電源線５から浴室暖房乾燥機１に電力を供給するだけで浴室暖房機能や音声出力機能等の全機能が発揮される。このため、スピーカ３等の音声出力装置を付加しても浴室暖房乾燥機１への電力供給方法は従来の浴室暖房乾燥機と変わらない。また、天井裏等の配線は浴室暖房乾燥機１と浴室暖房乾燥機用リモコン７とを接続する信号線８のみでよい。このように、浴室暖房乾燥機１及び浴室暖房乾燥機用リモコン７の設置作業は極めて簡単である。
【００２１】
以上説明した構成及び動作に基づく本実施の形態の浴室暖房乾燥機１及び浴室暖房乾燥機用リモコン７によれば、浴室９内に大迫力の音声を出力できる。また、浴室暖房乾燥機１及び浴室暖房乾燥機用リモコン７の設置作業は簡単なため、設置作業時間の短縮や設置費用の低減を図ることができるようになる。
【００２２】
本発明は、上記実施の形態に限らず種々の変形が可能である。
上記実施形態では、音声信号は信号線８を介して浴室暖房乾燥機用リモコン７から浴室暖房乾燥機１へ出力されているが、本発明はこれに限られない。例えば浴室暖房乾燥機用リモコン７に無線送信機能を追加し、浴室暖房乾燥機１に無線受信機能を付加して音声信号を無線で送信するようにしてもよい。こうすることにより、浴室暖房乾燥機１と浴室暖房乾燥機用リモコン７との間の信号線８の配線作業が不要となるため設置作業をさらに簡単にすることができる。
【００２３】
【発明の効果】
以上の通り、本発明によれば、簡単な設置作業で浴室内に十分な音量の音声を出力できる音響システムを構築できる。
【図面の簡単な説明】
【図１】本発明の一実施の形態による浴室暖房乾燥機１及び浴室暖房乾燥機用リモコン７が設置されている浴室９を説明する断面図である。
【符号の説明】
１  浴室暖房乾燥機
２  増幅器
３  スピーカ
４  電源装置
５  電源線
７  浴室暖房乾燥機用リモコン
８、１０、１２  信号線
９  浴室
１１  音楽再生機器
１３  熱源機
１４  温水配管
１５  往き管
１６  戻り管
１７  熱交換器
１８  循環ファン
１９  温風吹き出し口
２０  浴槽
【図１】
2004301438.tif 000003